(57)【要約】      （修正有）【課題】操作パネルのロックを解除するための操作部の視認性および操作性を向上させる電子機器を提供する。【解決手段】操作パネル１００をチルトアップした状態でロックするロック機構と、ロック機構のロックを解除して操作パネル１００をチルトダウンさせることを可能とする解除機構と、を有し、操作パネル１００に、チルトアップした操作パネル１００のロックを解除するためのチルトアップ解除ボタン１０６を備える。チルトアップ解除ボタン１０６は、操作パネル１００の表面に露出している。【選択図】図１
2017030305.tif 000002
【特許請求の範囲】
【請求項１】
機器本体に対してチルトアップするように操作パネルが設けられている電子機器であって、
前記操作パネルをチルトアップした状態でロックするロック機構と、
前記ロック機構のロックを解除して前記操作パネルをチルトダウンさせることを可能とする解除機構と、
を有し、
前記解除機構は解除ボタンを備え、前記解除ボタンは前記操作パネルの表面に露出していることを特徴とする電子機器。
【請求項２】
前記ロック機構は、前記操作パネルのチルトに伴って移動するアームと、前記アームが持つロック爪と係合する凹部を備えた部材と、を含み、
前記解除機構は、前記解除ボタンが押されると前記アームを押して、前記ロック爪と前記凹部との係合を解除させることを特徴とする、請求項１に記載の電子機器。
【請求項３】
前記部材は複数の凹部を備えており、前記ロック爪が前記複数の凹部のいずれか１つと係合して、前記操作パネルのチルト角度が設定されることを特徴とする、請求項２に記載の電子機器。
【請求項４】
前記解除ボタンは、前記操作パネルが有する表示部と操作キーの間の位置に設けられている特徴とする、請求項１から３のいずれか１項に記載の電子機器。
【請求項５】
前記操作パネルは、ヒンジにより回動可能に支持されており、
前記解除ボタンは、前記ヒンジの回転軸を延長した方向とは重ならない位置に設けられていることを特徴とする、請求項１から４のいずれか１項に記載の電子機器。
【請求項６】
前記解除ボタンは、少なくともチルトアップしたときに、前記操作パネルの表面から突出して露出することを特徴とする、請求項１から５のいずれか１項に記載の電子機器。
【請求項７】
前記操作パネルは、前記電子機器によって実行される処理を進行させるための第１の操作キーと、前記処理を進行させない第２の操作キーと、を備え、
前記解除ボタンは前記第１の操作キーに隣接してないことを特徴とする、請求項１から６のいずれか１項に記載の電子機器。
【請求項８】
前記解除ボタンは前記第２の操作キーに隣接しており、前記第２の操作キーはストップキーもしくは戻るキーであることを特徴とする、請求項７に記載の電子機器。
【請求項９】
少なくも前記第２の操作キーは、静電式または感圧式のタッチスイッチであることを特徴とする、請求項７または８に記載の電子機器。
【請求項１０】
前記操作パネルはタッチパネルを持った表示部を備え、前記タッチパネルによるキー入力を受け付けるとともに、前記解除ボタンは前記表示部に隣接して設けられており、
前記表示部の前記解除ボタンに隣接する側には、前記電子機器によって実行される処理を進行させるための操作キーは表示されないことを特徴とする、請求項１から６のいずれか１項に記載の電子機器。
【請求項１１】
前記表示部の前記解除ボタンに隣接する側には、戻るキーが表示されることを特徴とする、請求項１０に記載の電子機器。
【請求項１２】
前記機器本体は、プリンタ部とスキャナ部の少なくともいずれかを有することを特徴とする、請求項１から１１のいずれか１項に記載の電子機器。
【発明の詳細な説明】
【技術分野】
【０００１】
本発明は、移動可能な操作パネルを備えた電子機器に関するものである。
【背景技術】
【０００２】
特許文献１に記載の電子機器は、その操作性を向上させるために、操作パネルを機器本体の前方に回動させてチルトアップする構成となっている。チルトアップした操作パネルは、自重で元に戻らないようにロック機構によってロックされる。ロックを解除するには、ユーザが操作パネルの裏側に配備された解除レバーを引き操作する。
【先行技術文献】
【特許文献】
【０００３】
【特許文献１】特開２０１３−２１０５６９号公報
【発明の概要】
【発明が解決しようとする課題】
【０００４】
しかしながら、解除レバーは操作パネルの裏側に隠れているため、ユーザは視認することができず手探りで解除レバーを探すことを強いられる。また、操作パネルが前方にチルトアップしている状態から、操作パネルを押してチルトダウンさせる際には、その操作パネルの押し方向とは逆に、解除レバーを引き操作しなければならず、ユーザにとって操作に違和感がある。
【０００５】
本発明の目的は、チルトアップした操作パネルのロックを解除する際の操作性に優れた電子機器を提供することにある。
【課題を解決するための手段】
【０００６】
本発明の電子機器は、機器本体に対してチルトアップするように操作パネルが設けられている電子機器であって、前記操作パネルをチルトアップした状態でロックするロック機構と、前記ロック機構のロックを解除して前記操作パネルをチルトダウンさせることを可能とする解除機構と、を有し、前記解除機構は解除ボタンを備え、前記解除ボタンは前記操作パネルの表面に露出していることを特徴とする。
【発明の効果】
【０００７】
本発明によれば、チルトアップした操作パネルのロックを解除するための解除ボタンを操作パネルの表面に露出させることにより、ロック解除の操作性を高めることできる。
【図面の簡単な説明】
【０００８】
【図１】本発明の第１の実施形態における電子機器の斜視図である。
【図２】電子機器の概略断面図である。
【図３】電子機器の制御系のブロック図である。
【図４】電子機器における操作パネルの正面図である。
【図５】操作パネルの要部の分解斜視図である。
【図６】操作パネルの動作を説明するための断面図である。
【図７】操作パネルを裏側から視た要部の分解斜視図である。
【図８】操作パネルのロック機構の断面図である。
【図９】操作パネルのロック機構の動作を説明するための断面図である。
【図１０】本発明の第２の実施形態の電子機器に備わる操作パネルの正面図である。
【図１１】本発明の第３の実施形態における操作パネルのロック機構の断面図である。
【図１２】操作パネルのロック機構の動作を説明するための断面図である。
【発明を実施するための形態】
【０００９】
以下、本発明の実施形態を図面に基づいて説明する。以下の説明では、画像の読み取り機能および画像のプリント機能をもつプリント装置を例に挙げが、本発明はこれに限定されず操作パネルを備える電子機器に広く適用することができる。
【００１０】
（第１の実施形態）
図１（ａ），（ｂ）は、本発明の第１の実施形態にける電子機器１（プリント装置）の斜視図である。電子機器１の本体（機器本体）１ａの上部には、原稿の画像をイメージセンサにより読み取って、画像データを取得するスキャナ部２が配備されている。本体１ａの底面部には、プリント媒体としてのシートを収納する給紙カセット３が配備されている。スキャナ部２の下方には、後述するように、スキャナ部２によって取得された画像データ、および外部接続機器から転送された画像データに基づいて、給紙カセット３に収納されたシートに画像をプリントするプリンタ部１１が配備されている。プリンタ部１１により画像がプリントされたシートは、排紙開口部４から排出される。排紙開口部４には、伸縮自在に設けられた排紙トレイ５が設けられている。
【００１１】
電子機器１の本体１ａの側面であってユーザが向き合う前面部において、排紙開口部４の上方には、操作パネル１００が所定の範囲内において移動可能に配備されている。操作パネル１００には、電子機器１の内部の情報を表示する表示部１０１と、電源キー１０３などの電子機器１を操作するための操作部１０２と、が備えられている。
【００１２】
図１（ａ）は、操作パネル１００と排紙トレイ５が本体１ａの外形寸法内に収納された状態を示し、図１（ｂ）は、操作パネル１００と排紙トレイ５が本体１ａから引き出された状態を示している。操作パネル１００は、後述するヒンジの回転軸を中心として、本体１ａの内側および外側に向かう矢印Ａ１，Ａ２方向に回転可能に支持されており、引き出されることによって、図１（ｂ）のように下部が本体１ａから外に突出するようにチルトアップして傾く。チルトアップすることにより、電子機器１の操作性が向上する。排紙トレイ５は、図１（ｂ）のように引き出されることにより、本体１ａから前方に突出するようにスライドして、画像がプリントされたシート６を支持する。
【００１３】
図２は、本体１ａの内部に配備されたプリンタ部１１の概略構成を説明するための側断面図である。給紙カセット３内に積載された複数のシート６は、その最上位のシート６に当接するピックアップローラ１２によって、１枚ずつピックアップされる。ピックアップされたシート６は、図２中太線で示されるパスＰに送られてから、パスＰに配備された中間搬送ローラ対１３，１４によってパスＰに沿って下流側に搬送される。そのシートＰは、搬送ローラ対１５，１６によって、プリントヘッド１８に対向するプリント位置に搬送される。プリントヘッド１８の対向位置には、シート６を支持するプラテン１７が配置されている。プリントヘッド１８はキャリッジ２１に搭載され、そのキャリッジ２１は、後述するキャリッジモータ２１７によって、図２中の紙面の表裏方向（副走査方向）に往復移動される。その副走査方向は、シート６の矢印Ｆの搬送方向（主走査方向）と交差（本例の場合は、直交）する方向である。
【００１４】
本例のプリントヘッド１８は、吐出口からインクを吐出可能なインクジェット方式のプリントヘッドである。プリントヘッド１８がキャリッジ２１と共に主走査方向に移動しつつ吐出口からインクを吐出する動作と、シート６の主走査方向の搬送動作と、を繰り返すことにより、シート６上に画像が順次プリントされる。インクジェット方式のプリントヘッドは、電気熱変換素子（ヒータ）やピエゾ素子などの吐出エネルギー発生素子を用いて、吐出口からインクを吐出させるように構成されている。画像がプリントされたシート６は、排紙ローラ１９と拍車２０によって挟持されつつ、さらに下流側に搬送され、排紙開口部４から本体１ａの外部へと排出されて排紙トレイ５上に積載される。
【００１５】
図３は、電子機器１の制御系のブロック図である。
【００１６】
制御部（ＭＰＵ）２００は、電子機器１の各部の動作およびデータ処理などを制御する。例えば、電子機器１の動作状況などを操作パネル１００の表示部１０１に表示し、操作部１０２からの入力情報に基づいて電子機器の動作を決定する。ＥＥＰＲＯＭ２０７には、ＭＰＵ２００によって実行されるプログラムおよびデータなどが格納される。ＲＡＭ２０６は、ＭＰＵ２００によって実行される処理データ、および外部入力機器２０２からＩ／Ｆ部２０１を介して受信したデータを一時的に記憶する。
【００１７】
スキャナ部２は、モータドライバ２０９によってスキャナ駆動モータ２１０が駆動されることにより、画像読取り部２１１によって原稿２０８の全域の画像を読み取る。読み取られた画像情報は、ＲＡＭ２０６に記憶される。プリントヘッド１８は、プリントヘッドドライバ２１８によって制御される。キャリッジ２１を駆動するキャリッジモータ２１７は、キャリッジモータドライバ２１６によって制御される。搬送ローラ１５および排紙ローラ１９は搬送モータ２１５によって駆動され、その搬送モータ２１５はモータドライバ２１４によって制御される。ピックアップローラ１２および中間搬送ローラ１３は給紙モータ２１３によって駆動され、その給紙モータ２１３はモータドライバ２１２によって制御される。
【００１８】
ＭＰＵ２００は、外部入力機器２０２または操作部２０４からのユーザのプリント動作命令に基づいて、ＭＰＵ２００の内部にてデータを展開し、プリントヘッドドライバ２１８を介してプリントヘッド１８にデータを転送する。そして、モータ２１３，２１５，２１７を駆動制御することにより、前述したように、給紙カセット３からのシート６の給送および搬送、キャリッジ２１の駆動、およびプリントヘッド１８からのインクの吐出を伴って画像をプリントする。
【００１９】
図４（ａ）は、操作パネル１００の正面図である。操作パネル１００の上方側の両端には、左右方向に突出する回転軸１０７がそれぞれ設けられている。それらの回転軸１０７が電子機器１の本体１ａに設けた不図示の穴部に係合することにより、図１（ａ），（ｂ）のように、操作パネル１００が回転可能に支持されている。操作部１０２は、表示部１０１の両側に位置する左側の操作部１０２ａと右側の操作部１０２ｂとを含む。表示部１０１と右側の操作部１０２ｂとの間には、回転軸１０７から離れて位置するチルトアップ解除ボタン（解除操作部）１０６が配備されている。そのチルトアップ解除ボタン１０６は、操作パネル１００のチルトアップ状態（図１（ｂ）の状態）を解除してチルトダウンさせるためのボタン１０６である。このチルトアップ解除ボタン１０６を含む操作パネル１００のチルトアップ解除機構については後述する。
【００２０】
操作部１０２ｂには、チルトアップ解除ボタン１０６に隣接する戻るキー１０５が配備されている。この戻るキー１０５は、表示部１０１に表示されている内容を１つ前の表示内容に戻すためのキーであり、原稿の読み取りおよびプリント開始などの動作命令を電子機器１に与える操作キーではない。つまり、戻るキー１０５は表示内容を変更するためのものであり、電子機器１によって実行される処理（画像の読み取り処理および画像のプリント処理）の進行に係わらない操作キー（第２の操作部）として機能する。この戻るキー１０５は、チルトアップ解除ボタン１０６と隣接する位置に配備される。一方、電子機器１によって実行される処理を進行させるための動作命令用の操作キー（第１の操作部）は、チルトアップ解除ボタン１０６に隣接する位置に配備しない。
【００２１】
このように本例においては、動作命令用の操作キーはチルトアップ解除ボタン１０６に隣接させずに、このような動作命令用の操作キーではない戻るキー１０５をチルトアップ解除ボタン１０６に隣接させる。これにより、チルトアップ解除ボタン１０６の操作時に、そのチルトアップ解除ボタン１０６に隣接するキーにユーザが触れたとしても、原稿の読み取りおよびプリントの開始などの誤動作を引き起こすことはない。チルトアップ解除ボタン１０６の操作時に、仮に、ユーザが誤って戻るキー１０５に触れた場合には表示内容が変化する程度である。
【００２２】
戻るキー１０５の上方には、ストップキー１０４が配備されている。このストップキー１０４は、原稿の読み取りおよびプリント動作を途中で停止させるためのキーである。また、左側の操作部１０２ａには電源キー１０３が配備されている。この電源キー１０３はチルトアップ解除ボタン１０６から離れた位置にあるため、チルトアップ解除ボタン１０６の操作時に、ユーザが誤って電源キー１０３に触れて電子機器１の電源が遮断される可能性はかなり低く抑えられる。このようにチルトアップ解除ボタン１０６は、それとは他の操作部（キー１０３，１０４，１０５など）が配備される操作パネル１００の表面上の領域から外れた位置に配備されている。
【００２３】
図４（ｂ）は、操作パネル１００内部に配置されている電気部品の説明図である。左右の操作部１０２ａ，１０２ｂの直下には操作基板１０８，１０９が配置されており、チルトアップ解除ボタン１０６は、それらの操作基板１０８，１０９の外に配置されている。操作基板１０８，１０９には、操作部１０２ａ，１０２ｂにおける操作キーのそれぞれの直下に位置する操作スイッチ１１０が配置されている。操作スイッチは、静電式もしくは感圧式のタッチスイッチであると好ましい。なお、メカニカルなタクトスイッチであってもよい。
【００２４】
操作基板１０８，１０９は、フレキシブルケーブル１１１によって電気的に接続されている。このフレキシブルケーブル１１１は、チルトアップ解除ボタン１０６の配備位置から離れた領域（本例の場合は、操作パネル１００の回転軸１０７に近い領域）を通るように配備されている。表示部１０１は、フレキシブルケーブル１１２によって、操作基板１０８に電気的に接続されている。このように、操作基板１０８には、信号線としてのフレキシブルケーブル１１１，１１２が集約されている。この操作基板１０８は、フレキシブルケーブル１１３によって、電子機器１の本体１ａ内の不図示の制御基板に電気的に接続されている。
【００２５】
図５は、操作パネル１００に対するチルトアップ解除ボタン１０６の組み付け状態を説明するための分解斜視図、図６（ａ）は、チルトアップ解除ボタン１０６の非操作状態の断面図、図６（ｂ）は、チルトアップ解除ボタン１０６の操作状態の断面図である。
【００２６】
チルトアップ解除ボタン１０６の略中央部には、後述するロックアーム１１６を押圧するための押圧部１０６ａが設けられている。操作パネル１００のパネル本体１１５は、表パネル部１１５−１と裏パネル部１１５−２とを含む。表パネル部１１５−１には、チルトアップ解除ボタン１０６を収納する凹部１１５ａと、その凹部１１５ａの底面部に位置する穴１１５ｃと、が形成され、裏パネル部１１５−２には、穴１１５ｃと対向する穴１１５ｅが形成されている。チルトアップ解除ボタン１０６の押圧部１０６ａは、これらの凹部１１５ａ，穴１１５ｃ，穴１１５ｅと対応するように位置する。
【００２７】
チルトアップ解除ボタン１０６の左右両側には係合部１０６ｂが設けられており、これらの係合部１０６ｂは、表パネル部１１５−１に形成された左右の穴１１５ｂに係合する。これらの穴１１５ｂは、凹部１１５ａの側面部と底面部との間に渡って位置するように形成されている。また、チルトアップ解除ボタン１０６の周囲には、パネル突き当て部１０６ｃが設けられている。チルトアップ解除ボタン１０６と表パネル部１１５−１との間には、圧縮ばね１１４が配備されている。表パネル部１１５−１には、凹部１１５ａの底面部に位置する円形リブ１１５ｂが形成されており、この円形リブ１１５ｂの外側にコイル状の圧縮ばね１１４が係合することにより、圧縮ばね１１４の位置が規制されている。
【００２８】
図６（ａ）は、チルトアップ解除ボタン１０６が操作されていないときの操作パネル１００の断面図であり、図４（ａ）中のＶＩ−ＶＩに沿う断面図に対応する。チルトアップ解除ボタン１０６は、圧縮ばね１１４によって矢印Ｙ１方向に付勢されている。したがって、チルトアップ解除ボタン１０６の非操作時には、図６（ａ）のように、係合部１０６ｂが穴部１１５ｄに突き当って、チルトアップ解除ボタン１０６の表面と、表パネル部１１５−１の表面と、がほぼ同一面となる。
【００２９】
図６（ｂ）は、チルトアップ解除ボタン１０６が操作されたとき、つまりチルトアップ解除ボタン１０６が圧縮ばね１１４の付勢力に抗して矢印Ｙ２方向に押されたときの操作パネル１００の断面図である。このようにチルトアップ解除ボタン１０６が操作されることにより、図６（ｂ）のように、パネル突き当て部１０６ｃが凹部１１５ａの底面部に突き当り、押圧部１０６ａが裏パネル部１１５−２の穴１１５ｅに入り込む位置まで移動する。
【００３０】
図７は、裏パネル部１１５−２の裏面に対するロックアーム１１６の組み付け状態を説明するための分解斜視図である。裏パネル部１１５−２の裏面には一対の軸受け部１１５ｆが設けられ、ロックアーム１１６の両端部には回転軸１１６ａが設けられている。また、それらの回転軸１１６ａの一方の近傍にはばね掛け部１１６ｄが設けられ、その回転軸１１６ａには、ねじりコイルばね１１７が挿入されている。ねじりコイルばね１１７は、ばね掛け部１１６ｄと、裏パネル部１１５−２の裏面と、の間に作用して、ロックアーム１１６を矢印Ｒ１方向に付勢する。ロックアーム１１６において、裏パネル部１１５−２の穴１１５ｅと対向する位置には凸部１１６ｃが設けられ、また軸部１１６ａから離れた位置には係合凸部であるロック爪１１６ｂが設けられている。
【００３１】
図８は、図４（ａ）のＶＩＩＩ−ＶＩＩＩ線に沿う操作パネル１００の要部の断面図である。この図８における操作パネル１００は、図１（ａ）のように電子機器１の本体１ａに収容されている。本体１ａの定位置には、ロック係合部材２２が設けられている。このロック係合部材２２において、ロックアーム１１６のロック爪１１６ｂに対向する面には、操作パネル１００の回転軸１０７を中心とする円弧面が形成されている。その円弧面には、凸部２２ａ，および３つの凹部２２ｂ、２２ｃ，２２ｄが設けられている。凸部２２ａは、回転軸１０７を中心とする半径ｒ１の仮想円弧Ｌ１上から突出する。凹部２２ｂ、２２ｃ，２２ｄは、回転軸１０７を中心とする半径ｒ２の仮想円弧Ｌ２上から窪むように形成されており、それらの底面は、半径ｒ３の仮想円弧Ｌ３上に位置する。凹部２２ｂ、２２ｃ，２２ｄは、その順序で操作パネル１００の回転方向Ａにずるように形成されており、それらの間は仮想円弧Ｌ２上に位置する突出部となっている。
【００３２】
図１（ａ）のように操作パネル１００が電子機器１の本体１ａに収容されているときには、図８のように、本体１ａ側のロック係合部材２２の凸部２２ａに対して、操作パネル１００側のロックアーム１１６のロック爪１１６ｂが係合している。ロックアーム１１６は、ロック係合部材２２の凸部２２ａとの係合状態を維持するように、ねじりコイルばね１１７によって矢印Ｒ１方向に付勢されている。これにより、操作パネル１００が収納状態にロックされる。
【００３３】
操作パネル１００を矢印Ａ１方向に回転させることにより、それを図１（ｂ）のようにチルトアップさせることができる。その際、ロック係合部材２２の凹部２２ｂ、２２ｃ，２２ｄのいずれかに対して、ロックアーム１１６のロック爪１１６ｂを選択的に係合させることにより、操作パネル１００のチルト角度を複数のうちの一つに設定してロックすることができる。ロックアーム１１６は、ロック係合部材２２の凹部２２ｂ、２２ｃ，２２ｄとの選択的な係合状態がロックされるように、ねじりコイルばね１１７によって矢印Ｒ１方向に付勢されている。
【００３４】
図９（ａ）は、操作パネル１００を矢印Ａ１方向に回転させて、ロックアーム１１６のロック爪１１６ｂを凹部２２ｃに係合させたときの断面図である。このように、ロック係合部材２２とロックアーム１１６は、操作パネル１００の移動範囲内において、それをロック可能なロック機構を構成する。図９（ａ）の状態においては、ロックアーム１１６の凸部１１６ｃが裏パネル部１１５−２の穴１１５ｅ内に進入している。
【００３５】
このように、ロックアーム１１６のロック爪１１６ｂと、ロック係合部材２２の凹部２２ｂ、２２ｃ，２２ｄからなるロック機構が設けられている。このロック機構のロック爪と凹部の一つとの係合により所定のチルト角度（傾斜角）が設定され、そのチルトアップ状態が維持されるようにロックされる。そしてユーザが操作パネルの表面に露出しているチルトアップ解除ボタン１０６を押すと、ロック機構のロックが解除されて操作パネルをチルトダウンさせることができる。
【００３６】
図９（ｂ）は、図９（ａ）の状態においてチルトアップ解除ボタン１０６を矢印Ｙ１方向に押したときの断面図である。ユーザによりチルトアップ解除ボタン１０６が押されると、図９（ｂ）のように、押圧部１０６ａがロックアーム１１６の凸部１１６ｃに当接して、ロックアーム１１６がねじりコイルばね１１７の付勢力に抗して矢印Ｒ２方向に回動される。これにより、ロック係合部材２２の凹部２２ｃに対するロックアーム１１６のロック爪１１６ｂの係合によるロックが解除されて、操作パネル１００が矢印Ａ２方向に回転される。ユーザがチルトアップ解除ボタン１０６を押し込む方向は、操作パネル１００をチルトダウンさせ方向でもあるため、１プッシュ操作でロック解除とチルトダウンがなされ、操作性が良好である。
【００３７】
以上のように、操作パネルにおける表示部と操作キーとの間に、操作パネルを所望のチルト角度でロックするロック機構のチルトアップ解除ボタンを配置して露出させている。これにより、チルトアップ解除ボタンの操作時に、ユーザが他の操作キーに触れてしまう可能性を低く抑えることができる。また、チルトアップ解除ボタンに隣接する操作キーは、表示部の表示内容を１つ前の表示内容に戻すための戻るキーであるため、チルトアップ解除ボタンの操作時に、仮に、ユーザが隣接する操作キーに触れたとしても表示部の表示内容が戻される程度である。したがって、原稿の読み取りおよびプリントの開始等の誤動作を引き起こす可能性を低く抑えることができる。とくに操作パネルの操作スイッチが、軽く指で触れただけで敏感に反応するタッチスイッチ（静電式、感圧式）である場合にこの作用効果は大きい。
【００３８】
また、チルトアップ解除ボタンは、操作キーとパネル端部との間に配置してもよい。この場合にも、チルトアップ解除ボタンの操作時に、ユーザが他の操作キー等に触れる可能性を低く抑えることができる。つまり、操作パネルの前面において、表示部や操作部などの処理ユニットの配置領域の外にチルトアップ解除ボタンを配置することにより、チルトアップ解除ボタンの操作時にユーザが他の操作キー等に触れる可能性を低く抑えることができる。
【００３９】
さらに、操作パネルはヒンジ機構により回動可能に支持されており、チルトアップ解除ボタンは、ヒンジの回転軸を延長した方向とは重ならないよう、ずれた位置に設けられている。これにより利用者は、操作ボタンを指で押し込むのと同じ方向の力でさらに操作パネルをチルトダウンさせることができ、操作性が良好である。
【００４０】
（第２の実施形態）
以下に、本発明の第２の実施形態について説明する。前述した第１の実施形態と同様の部分については、説明を省略する。
【００４１】
図１０は、電子機器１における操作パネル１００の正面図である。操作パネル１００の略中央部には、操作画面を表示可能なタッチパネル１１８（静電式または感圧式）が配置されている。操作部１０２は、表示部１０１の両側に配置された左右の操作部１０２ａ，１０２ｂを含む。タッチパネル１１８と右側の操作部１０２ｂと、の間において、回転軸１０７から離れた位置には、図１（ｂ）のように傾いた状態にロックされている操作パネル１００のロックを解除するためのチルトアップ解除ボタン１０６が配置されている。操作部１０２ｂにおいて、チルトアップ解除ボタン１０６と隣接する領域１１５ｇには、操作キーが配置されていない。そのため、チルトアップ解除ボタン１０６の操作時に、ユーザが誤って他の操作キーに触れてしまう可能性を低く抑えることができる。
【００４２】
タッチパネル１１８の左領域１１８ａは、電子機器１の状態および次に行う動作についての説明の表示、次に行う動作の並列表示、ユーザに選択させるためのボタンの表示（ユーザからのキー入力を受け付けるための表示）などの表示部である。タッチパネル１１８の右上方領域には、左領域１１８ａの表示内容を確定させるためのリターンキー１１８ｂが表示される。また、タッチパネル１１８の右下方領域、つまりチルトアップ解除ボタン１０６と隣接する領域には、左領域１１８ａの表示内容を１つ前の表示内容に戻すための戻るキー１１８ｂが表示される。リターンキー１１８ｂは、電子機器１によって実行される処理（画像の読み取り処理および画像のプリント処理）を進行させるための操作画面（第１の操作画面部）である。戻るキー１１８ｂは表示内容を変更するためのものであり、電子機器１によって実行される処理の進行に係わらない操作画面（第２の操作画面部）として機能する。チルトアップ解除ボタン１０６と隣接する位置に戻るキー１１８ｂが表示されるため、チルトアップ解除ボタン１０６の操作時に、仮に、ユーザが誤ってタッチパネル１１８に触れた場合には、戻るキー１１８ｂがタッチされて表示内容が変化する程度である。この戻るキー１１８ｂは、電子機器１に原稿読み取りおよびプリント開始などの動作命令を与えるものではないため、電子機器１の誤動作を引き起こす可能性を低く抑えることができる。
【００４３】
このように、チルトアップ解除ボタンに隣接する領域には、動作実行を指示する操作キーを配置しないことにより、チルトアップ解除ボタンの操作時に、ユーザが他の操作キーに触れてしまう可能性を低く抑えることができる。本例では、チルトアップ解除ボタンに隣接するタッチパネルの領域に配置（表示）されるキーは、タッチパネルの表示内容を１つ前の内容に戻すための戻るキーである。戻るキーであれば、ユーザが誤って触れて誤入力されたとしても、原稿の読み取りおよびプリントの開始などの動作実行は起きない。
【００４４】
（第３の実施形態）
以下に、本発明の第３の実施形態について説明する。前述した第１の実施形態と同様の部分については、説明を省略する。
【００４５】
図１１は、本実施形態における操作パネル３００の要部の断面図である。この図１１における操作パネル３００は、図１（ａ）における操作パネル１００と同様に電子機器１の本体１ａに収容されている。パネル本体３０２における表パネル部３０２−１の軸３０２ａに、チルトアップ解除ボタン３０１の穴部３０１ａが矢印Ｘ１，Ｘ２方向に回動可能に取り付けられている。また、パネル本体３０２における裏パネル部３０２−２とチルトアップ解除ボタン３０１との間には、チルトアップ解除ボタン３０１を矢印Ｘ２方向に付勢する引っ張りばね３０３が取り付けられている。表パネル部３０２−１には、ひさし形状部３０２ｂが形成されている。このひさし形状部３０２ｂの表面側に、チルトアップ解除ボタン３０１の突き当て面３０１ｂが突き当ることにより、チルトアップ解除ボタン３０１の表面が表パネル部３０２−１の表面と略同一面を成す。ひさし形状部３０２ｂの裏面側に、チルトアップ解除ボタン３０１の係合部３０１ｃが引っ掛かることにより、チルトアップ解除ボタン３０１の矢印Ｘ１方向の回動範囲が規制される。ロックアーム３０４は、裏パネル部３０２−２に矢印Ｒ１，Ｒ２方向に回動可能に取り付けられている。チルトアップ解除ボタン３０１には、ロックアーム３０４の凸部３０４ｃと対向する位置に押圧部３０１ｄが設けられている。
【００４６】
図１２（ａ）は、操作パネル３００を矢印Ａ１方向に回動させて、ロックアーム３０４のロック爪３０４ｂをロック係合部材２２の凹部２２ｃに係合させた状態を示している。ロックアーム３０４は、前述した第１の実施形態におけるロックアーム１１６と同様に、ねじりコイルばね１１７によって矢印Ｒ１方向に付勢されている。これにより、操作パネル３００が図１２（ａ）の回動状態にロックされる。このようなロック状態においては、ロックアーム３０４の凸部３０４ｃがチルトアップ解除ボタン３０１の押圧部３０１ｄに当接し、チルトアップ解除ボタン３０１が矢印Ｘ１方向に回動されて表パネル部３０２−１の表面から突出している。このようにチルトアップ解除ボタン１０６は、少なくとも操作パネル１００がチルトアップしたときは、他の操作部（キー１０３，１０４，１０５など）よりも操作パネル１００の表面から手前に突出する。
【００４７】
図１２（ｂ）は、図１２（ａ）の状態において、チルトアップ解除ボタン３０１が矢印Ｙ１方向に押圧操作されたときの状態を示す。チルトアップ解除ボタン３０１が押されることにより、その押圧部３０１ｄがロックアーム３０４の凸部３０４ｃを押して、ロックアーム３０４を矢印Ｒ２方向に回動させる。これにより、ロックアーム３０４のロック爪３０４ｂがロック係合部材２２の凹部２２ｃから外れて、操作パネル３００のロックが解除される。
【００４８】
このように、操作パネルをチルトアップしたときに、チルトアップ解除ボタンがパネル表面から突出して露出するので、ユーザによって認識されやすく且つ操作しやすくなる。そのため、ロック解除の操作がより確実になり、ユーザがチルトアップ解除ボタン以外に触れる可能性が小さくなる。
【符号の説明】
【００４９】
２２  ロック係合部材（ロック機構）
１１６，３０４  ロックアーム（ロック機構）
１００，３００  操作パネル
１０６，３０１  チルトアップ解除ボタン（解除機構）
【図１】
2017030305.tif 000003
【図２】
2017030305.tif 000004
【図３】
2017030305.tif 000005
【図４】
2017030305.tif 000006
【図５】
2017030305.tif 000007
【図６】
2017030305.tif 000008
【図７】
2017030305.tif 000009
【図８】
2017030305.tif 000010
【図９】
2017030305.tif 000011
【図１０】
2017030305.tif 000012
【図１１】
2017030305.tif 000013
【図１２】
2017030305.tif 000014